(57)【要約】【課題】ジャムが発生した後の復帰動作において、特殊シートに形成される画質を損なうことなく、特殊シートの無駄を解消すること。【解決手段】特殊シートを含む記録媒体Ｐを格納する給紙トレイに格納されている記録媒体Ｐに画像形成処理を施す画像形成部２３、画像形成２３から排出された記録媒体Ｐに後処理を施す後処理部２、ジャムが発生した場合、当該ジャムの復帰作業内容を受け付ける操作表示部９０、画像形成処理が施された特殊シートを除く記録媒体の束に、画像形成処理された特殊シートを挿入して記録媒体の束を生成させる場合、受け付けられたジャムの復帰作業内容に応じて、ジャムからの復帰後の特殊シートに対する画像形成処理の可否を制御する制御部１１０、を備える画像形成装置Ａ。【選択図】図２
2008165042.tif 000002
【特許請求の範囲】
【請求項１】
予め定められた順序で配列されて１セットの特殊シート群を構成する特殊シートを含む記録媒体を格納する記録媒体格納部と、
前記記録媒体格納部に格納されている前記記録媒体に画像形成処理を施す画像形成部と、
前記画像形成部から排出された前記記録媒体に後処理を施す後処理部と、
ジャムが発生した場合、当該ジャムの復帰作業内容を受け付ける操作表示部と、
画像形成処理が施された前記特殊シートを除く記録媒体の束に、画像形成処理が施された特殊シートを挿入して記録媒体の束を生成する場合、前記操作表示部により受け付けられた前記ジャムの復帰作業内容に応じて、前記ジャムからの復帰後の前記特殊シートに対する画像形成処理の可否の判別結果に応じて画像形成部を制御する制御部と、
を備えること、
を特徴とする画像形成装置。
【請求項２】
前記操作表示部は、
前記ジャムの復帰作業内容として、前記ジャムが発生した際に、前記記録媒体格納部から給紙済みであって前記後処理部から排出されておらず前記画像形成部により画像形成処理中でない前記特殊シートを前記記録媒体格納部に再格納したか否かの内容を受け付けること、
を特徴とする請求項１に記載の画像形成装置。
【請求項３】
前記制御部は、
前記操作表示部により、前記ジャムの復帰作業内容として、前記ジャムが発生した際に、前記記録媒体格納部から給紙済みであって前記後処理部から排出されておらず前記画像形成部により画像形成処理中でない前記特殊シートを前記記録媒体格納部に再格納した内容が受け付けられた場合、
前記ジャムからの復帰後に前記画像形成部により画像形成される前記特殊シートは、前記ジャムが発生する前に前記記録媒体格納部から給紙された特殊シートか否かを判別する第１判別部と、
前記第１判別部により、前記ジャムが発生する前に前記記録媒体格納部から給紙された特殊シートであると判別された場合、当該判別された特殊シートは、前記ジャムが発生する前に前記画像形成部による画像形成処理が終了したか否かを判別する第２判別部と、
を有し、
前記第２判別部により、前記第１判別部により判別された特殊シートが前記ジャムが発生する前に前記画像形成部による画像形成処理が終了した特殊シートであると判別された場合、当該特殊シートに対して画像形成処理の実行を許可しないこと、
を特徴とする請求項２に記載の画像形成装置。
【発明の詳細な説明】
【技術分野】
【０００１】
本発明は、特殊シートを挿入可能な画像形成装置に関する。
【背景技術】
【０００２】
近年、タブ位置が相異なるタブ紙や一連の複数の相異なる色のカラーシート等、複数の相異なる種類の特殊シートが所定の順序で配列されて１セットを構成する特殊シート群を使用し、設定されたページに特殊シートを挿入しながらプリントする画像形成装置が知られている。
【０００３】
このような特殊シートを挿入して印刷を行う際、画像形成装置内でジャム（紙詰まり）が発生する場合があり、ジャム解除後にプリントを行うと、次に給紙されるべき用紙が正しく給紙されず、特殊シートが挿入されるページにずれが生じてしまうという問題があった。
【０００４】
そこで、入力されたジョブに基づいてシート上に画像を形成する画像形成部を有し、当該画像形成部からのシートとは異なるシートを画像形成部から出力されるシートに対して挿入するインサータとを備え、中断されたジョブがインサータを使用するジョブであるか否かに基づいて、中断されたジョブに対するリカバリー動作の実行可否を決定する画像形成装置が開示されている（特許文献１参照）。
【特許文献１】特開２００５−２１０７５４号公報
【発明の開示】
【発明が解決しようとする課題】
【０００５】
しかしながら、従来の画像形成装置は、リカバリー動作において、特殊シートに画像を形成するか否かを判断していないため、プリント時に設定されたページに特殊シートを挿入しながらプリントした場合におけるリカバリー動作を行う際には、ジャムが発生したシート及び当該シートよりも下流の画像形成部から排出されたシート及び特殊シートを取り除き、取り除かれた特殊シートを含む特殊シート群も取り除いて破棄する場合と、取り除かれた特殊シートを当該特殊シートを含む特殊シート群を格納している給紙トレイに戻す場合と、が知られている。
【０００６】
ジャムが発生したシート及び当該シートよりも下流の画像形成部から排出されたシート及び特殊シートを取り除き、取り除かれた特殊シートを含む特殊シート群も取り除き破棄する場合には、当該破棄される特殊シート群が無駄となってしまい、この特殊シートが高価である場合には、無駄にコストを高める要因となっている。
【０００７】
一方、ジャムが発生したシート及び当該シートよりも下流の画像形成部から排出されたシート及び特殊シートを取り除き、取り除かれた特殊シートを当該特殊シートを含む特殊シート群を格納している給紙トレイに戻す場合には、戻された特殊シートに画像が形成されている場合、再度、この特殊シートに画像が形成されるため、にじみ等の画質の低下が発生するという問題がある。
【０００８】
本発明の課題は、上記問題に鑑みて、ジャムが発生した後の復帰動作において、特殊シートに形成される画質を損なうことなく、特殊シートの無駄を解消することである。
【課題を解決するための手段】
【０００９】
請求項１に記載の発明は、予め定められた順序で配列されて１セットの特殊シート群を構成する特殊シートを含む記録媒体を格納する記録媒体格納部と、前記記録媒体格納部に格納されている前記記録媒体に画像形成処理を施す画像形成部と、前記画像形成部から排出された前記記録媒体に後処理を施す後処理部と、ジャムが発生した場合、当該ジャムの復帰作業内容を受け付ける操作表示部と、画像形成処理が施された前記特殊シートを除く記録媒体の束に、画像形成処理が施された特殊シートを挿入して記録媒体の束を生成する場合、前記操作表示部により受け付けられた前記ジャムの復帰作業内容に応じて、前記ジャムからの復帰後の前記特殊シートに対する画像形成処理の可否の判別結果に応じて画像形成部を制御する制御部と、を備える画像形成装置であること、を特徴としている。
【００１０】
請求項２に記載の発明は、請求項１に記載の画像形成装置において、前記操作表示部は、前記ジャムの復帰作業内容として、前記ジャムが発生した際に、前記記録媒体格納部から給紙済みであって前記後処理部から排出されておらず前記画像形成部により画像形成処理中でない前記特殊シートを前記記録媒体格納部に再格納したか否かの内容を受け付けること、を特徴としている。
【００１１】
請求項３に記載の発明は、請求項２に記載の画像形成装置において、前記制御部は、前記操作表示部により、前記ジャムの復帰作業内容として、前記ジャムが発生した際に、前記記録媒体格納部から給紙済みであって前記後処理部から排出されておらず前記画像形成部により画像形成処理中でない前記特殊シートを前記記録媒体格納部に再格納した内容が受け付けられた場合、前記ジャムからの復帰後に前記画像形成部により画像形成される前記特殊シートは、前記ジャムが発生する前に前記記録媒体格納部から給紙された特殊シートか否かを判別する第１判別部と、前記第１判別部により、前記ジャムが発生する前に前記記録媒体格納部から給紙された特殊シートであると判別された場合、当該判別された特殊シートは、前記ジャムが発生する前に前記画像形成部による画像形成処理が終了したか否かを判別する第２判別部と、を有し、前記第２判別部により、前記第１判別部により判別された特殊シートが前記ジャムが発生する前に前記画像形成部による画像形成処理が終了した特殊シートであると判別された場合、当該特殊シートに対して画像形成処理の実行を許可しないこと、を特徴としている。
【発明の効果】
【００１２】
請求項１に記載の発明によれば、ユーザから受け付けられたジャムの復帰作業内容に応じて、特殊シートに対する画像形成処理の可否を制御することができるため、復帰作業内容に応じて、画像形成処理済みの特殊シートに対して再度画像形成処理を施して画質の低下を生じさるという問題を解消でき、また、無駄に再利用可能な特殊シートを破棄させることを解消することができる。
【００１３】
請求項２に記載の発明によれば、請求項１と同様の効果を得られるのは勿論のこと、給紙済みであって後処理部から排出されておらず画像形成処理中でない特殊シートを記録媒体格納部に再格納したか否かの内容を受け付けることができる、即ち、損傷していない再利用可能な特殊シートを記録媒体格納部に再格納したか否かの復帰作業内容を受け付けることができる。
【００１４】
請求項３に記載の発明によれば、請求項２と同様の効果を得られるのは勿論のこと、給紙済みであって後処理部から排出されておらず画像形成処理中でない特殊シートを記録媒体格納部に再格納した、即ち、損傷していない再利用可能な特殊シートを記録媒体格納部に再格納したという復帰作業内容を受け付けた場合に、ジャムからの復帰後に画像形成される特殊シートは、ジャムが発生する前に給紙された特殊シートであり、かつ、ジャムが発生する前に画像形成処理が終了した特殊シートである場合、当該特殊シートに対して画像形成処理の実行を許可しないことができるため、記録媒体格納部に再格納された画像形成処理済みの特殊シートに再度画像形成処理を施すことなく再利用することができるため、再度、画像形成処理を施すことによって生じるにじみ等の画質の低下を解消でき、また、特殊シートの無駄な廃棄を解消できる。
【発明を実施するための最良の形態】
【００１５】
以下、図を参照して本発明の実施の形態を詳細に説明する。
まず、構成を説明する。
図１に、本実施の形態における画像形成装置Ａの概略断面構成図を示す。
【００１６】
画像形成装置Ａは、原稿から画像を読み取り、読み取った画像を処理対象紙としての紙等の記録媒体Ｐに画像形成するコピー機能や、パーソナルコンピュータ等から画像データを含むジョブを受信し、画像データが表す画像を記録媒体Ｐ上に形成して出力するプリンタ機能と、画像が形成された記録媒体Ｐに対して、ステイプル処理、パンチ処理、折り処理、断裁処理、カッティング処理等の後処理を施す後処理機能等を備えたデジタル複合機である。図１に示すように、画像形成装置Ａは、本体部１と後処理を行う後処理部２とから構成される。
【００１７】
本体部１は、画像読取部１０と、プリント部２０とから構成される。
なお、本発明を適用可能な本体部１は複合機に限定されず、例えば、複写機、プリンタ等であってもよい。本実施の形態においては、以下、本体部１として電子写真方式の複合機を適用した場合を例として説明する。
【００１８】
画像読取部１０は、ＡＤＦ（Auto Document Feeder）と称される自動原稿送り部１１と読取部１２とを備える。
自動原稿送り部１１の原稿トレイＴ１に載置された原稿ｄは、読取部１２の読取個所であるコンタクトガラスに搬送され、読取部１２の光学系により原稿ｄの片面又は両面の画像が読み取られ、ＣＣＤ（Charge Coupled Device）イメージセンサ１２ａにより原稿ｄの画像が読み取られる。ここで、画像とは、図形や写真等のイメージデータに限らず、文字や記号等のテキストデータ等も含む意である。
【００１９】
読取部１２により読み取られた画像（アナログ画像信号）は、後述する画像制御部に出力され、画像制御部においてＡ／Ｄ変換され各種画像処理が施された後、プリント部２０に出力される。
【００２０】
プリント部２０は、入力されたプリントデータに基づいて、電子写真方式の画像形成処理を行うものであり、給紙部２１、給紙搬送部２２、画像形成部２３、搬出部２４を備えて構成される。
【００２１】
給紙部２１は、複数の給紙トレイ２１ａ、２１ｂ、２１ｃ、各給紙トレイ２１ａ、２１ｂ、２１ｃに設けられた給紙手段２１ｄ、各給紙手段２１ｄ近傍に備えられ各給紙トレイ２１ａ、２１ｂ、２１ｃから給紙された記録媒体Ｐを検知する給紙センサＳＥ１、手差しトレイＴ２等を備える。給紙トレイ２１ａ、２１ｂ、２１ｃは、給紙トレイ２１ａ、２１ｂ、２１ｃ毎に普通紙、裏紙、再生紙、上質紙、タブ紙等の用紙種及びサイズが異なり予め識別されている記録媒体Ｐが用紙種別及びサイズ別に収容可能となっており、給紙手段２１ｄによって収容された記録媒体Ｐ最上部から一枚ずつ給紙搬送部２２に向けて搬送される。手差しトレイＴ２は、ユーザのニーズに合わせて様々な種類の記録媒体Ｐをその都度積載可能となっており、給紙ローラによって積載された記録媒体Ｐを最上部から一枚ずつ給紙搬送部２２に向けて搬送する。
なお、給紙トレイ２１ａ、２１ｂ、２１ｃの数はここに例示したものに限定されず、図示したものより多くても少なくてもよい。
【００２２】
本実施の形態において各給紙トレイ２１ａ、２１ｂ、２１ｃに格納されている記録媒体Ｐは、１枚目から順にタブ位置が異なるように配列されたタブ紙や、１枚目から順に色が異なるように配列されたカラーシート等の予め定められた順序で配列されて１セットの特殊シート群を構成する特殊シートと、当該特殊シートを除く記録媒体Ｐ（例えば、普通紙、裏紙、再生紙、上質紙等）である。
【００２３】
このように、給紙トレイ２１ａ、２１ｂ、２１ｃ及び手差しトレイＴ２は、特殊シートを含む記録媒体Ｐを格納する記録媒体格納部としての機能を実現する。
【００２４】
給紙搬送部２２は、給紙トレイ２１ａ、２１ｂ、２１ｃ又は手差しトレイＴ２から搬送された記録媒体Ｐを、複数の中間ローラ、レジストローラ２２ａ等を経て転写装置２３ａへと搬送する。また、給紙搬送部２２は、搬送路切換板により、片面画像形成処理済みの記録媒体Ｐを自動両面給紙搬送路に搬送し、再び中間ローラ、レジストローラ２２ａを経させて転写装置２３ａへと搬送する。
【００２５】
また、給紙搬送部２２には、レジストローラ２２ａに記録媒体Ｐが搬送される直前付近に、記録媒体Ｐの通過の有無を検知するレジストセンサＳＥ２や、各搬送経路上に記録媒体Ｐの通過の有無を検知する各種センサが設けられている。
【００２６】
画像形成部２３は、感光体ドラム、帯電装置、画像データを表す光を出力する露光装置、現像装置、転写装置２３ａ、クリーニング部、定着部２３ｂを備えている。
具体的には、帯電装置により帯電された感光体ドラムに露光装置で光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置２３ａにおいて記録媒体Ｐに転写される。また、記録媒体Ｐにトナー像が転写された後、感光体ドラムの表面の残留電荷や残留トナー等は、クリーニング部により除去される。そして、定着部２３ｂにおいて、給紙搬送部２２によって搬送された記録媒体Ｐに転写されたトナー像が熱定着される。
【００２７】
このように、画像形成部２３は、給紙トレイ２１ａ、２１ｂ、２１ｃに格納されている記録媒体Ｐに画像形成処理を施す画像形成部としての機能を実現する。
【００２８】
搬出部２４は、定着処理された記録媒体Ｐを排紙ローラに挟持して搬出口２４ａから後処理部２へ排出する。また、搬出部２４には、搬出口２４ａから後処理部２へ排出された記録媒体Ｐを検知する本体排紙センサＳＥ３が設けられている。
【００２９】
後処理部２は、本体部１により画像が形成された記録媒体Ｐのソート処理を行うソート部、パンチ穴をあけるパンチ処理を行うパンチユニット、記録媒体の束にステイプルをとめるステイプル処理を行うステイプルユニット、折り処理を行う折りユニット、断裁処理を行う断裁ユニット、カッティング処理を行うカッティングユニット等を備え、各種後処理を行うフィニッシャーである。各種後処理が施された記録媒体Ｐは、排紙トレイＴ３に排紙される。また、後処理部２には、排紙トレイＴ３へ排紙された記録媒体Ｐを検知する後処理排紙センサＳＥ４が設けられている。
【００３０】
なお、後処理部２は、大量の記録媒体Ｐを収納可能な昇降排紙トレイや、その他の後処理を実行させる後処理ユニットを備える構成であってもよい。
【００３１】
このように後処理部２は、本体部１から排出された特殊シートを含む記録媒体Ｐに後処理を施す後処理部としての機能を実現する。
【００３２】
図２に、本実施の形態における画像形成装置Ａの制御ブロック図を示す。
図２に示すように、画像形成装置Ａは、本体部１を制御する本体制御部１ａとプリンタコントローラ１ｂと、本体部１に接続された後処理部２を備えている。本体制御部１ａは、プリンタコントローラ１ｂのＬＡＮＩＦ（Local Area Network InterFace）１４ｂを介してネットワークＮ上の外部装置ＰＣと相互に情報の送受信が可能に接続されている。
【００３３】
本体制御部１ａは、画像読取部１０、プリント部２０、操作表示部９０、画像制御部１００を備えて構成される。なお、図１で説明した各部と同一の構成には、同一の符号を付してその説明を省略する。
【００３４】
画像制御部１００は、制御部１１０、不揮発メモリ１２０、ＲＡＭ（Random Access Memory）１３０、読込処理部１４０、圧縮ＩＣ１５０、ＤＲＡＭ（Dynamic Random Access Memory）制御ＩＣ１６０、画像メモリ１７０、伸長ＩＣ１８０、書込処理部１９０を備えている。
【００３５】
制御部１１０は、ＣＰＵ（Central Processing Unit）等から構成され、不揮発メモリ１２０に格納されている各種処理プログラムに従って画像形成装置Ａの各部の動作を集中制御する。例えば、操作表示部９０から入力される操作信号に従って、コピーモード、プリンタモード、スキャナモードを切り替え、不揮発メモリ１２０に記憶されている各モードに対する処理プログラムを読み出して、複写、プリント、画像データの読取等の制御を行う。また、操作表示部９０から入力される操作信号や外部装置ＰＣから入力されるデータに従って、プリント出力された記録媒体Ｐの後処理を設定する。
【００３６】
また、制御部１１０は、画像形成処理が施された特殊シートを除く記録媒体の束に、画像形成処理された特殊シートを挿入して記録媒体の束を生成させるジョブ（挿入プリントジョブ）を実行させている場合において、ジャム（紙詰まり）が発生した場合、操作表示部９０により受け付けられた当該ジャムの復帰作業内容に応じて、ジャムからの復帰後の前記特殊シートに対する画像形成処理の可否の判別結果に応じて画像形成部２３を制御するジャム復帰処理を行う制御部としての機能を実現する。
【００３７】
なお、ジョブとは、画像形成装置Ａが行う画像形成処理及び後処理等に関する一連の動作を示す。例えば、複数枚の記録媒体Ｐを出力する場合には、複数枚の出力に関する一連の動作が１ジョブであり、複数部数を出力する場合には、複数部数分の出力に関する一連の動作が１ジョブである。
【００３８】
ジャムとは、画像形成装置Ａ内において搬送される記録媒体Ｐが紙詰まりした状態である。
【００３９】
不揮発メモリ１２０は、画像形成に係る各種処理プログラム及びデータの他、本実施の形態に係るジャム復帰処理プログラム、操作表示部９０により受け付けられたジャムの復帰作業内容、各種モード等や各種データ、画像形成処理された記録媒体Ｐに対する後処理をプリント部２０を介して後処理制御部４００に対し設定するためのデータ及び各種プログラムで処理されたデータ等を記憶する。
【００４０】
ＲＡＭ１３０は、制御部１１０により実行される各種プログラム及びこれらプログラムに係るデータを一時的に記憶するワークエリアを形成し、ジョブキュー、各種動作設定、各ジョブのジョブデータ、各種ワークデータ、ジョブが実行される際において生成される記録媒体通過管理テーブル及び通過枚数管理テーブル等を記憶する。
【００４１】
ジョブデータは、プリント条件と画像データとに基づいて、出力されるページ共通のデータ（ページ共通データ）と、出力されるページ毎のデータ（ページ別データ）とから構成されている。
【００４２】
ページ共通データは、外部装置ＰＣから入力されるデータや、後述する操作表示部９０から入力される操作信号に基づいた設定条件を含むデータである。ページ別データは、出力されるプリントデータと使用される記録媒体Ｐとの向きの整合を図るため、プリントデータが回転される角度である出力時画像回転角度、ページ毎のプリントデータが格納されているアドレスを示す画像格納アドレス等から構成される。
【００４３】
記録媒体通過管理テーブルは、各ジョブが実行される際に生成されるテーブルであり、当該ジョブが実行されることにより搬送される各記録媒体Ｐの通過位置を示すものであり、当該ジョブが実行されることにより画像形成処理又は後処理が実行される記録媒体Ｐが給紙され始めることにより生成され、当該ジョブの完了時、即ち、当該ジョブが実行されることにより画像形成処理又は後処理が完了された記録媒体Ｐが画像形成装置Ａから排出されたとき消去されるテーブルである。
【００４４】
図３に、本実施の形態における記録媒体通過管理テーブル１３１の例を示す。
図３に示す記録媒体通過管理テーブル１３１は、画像形成処理が施された特殊シートを除く記録媒体の束に、画像形成処理された特殊シートを挿入して記録媒体の束を生成させるジョブ（挿入プリントジョブ）の実行途中の記録媒体通過管理テーブルの例である。
【００４５】
図３に示すように記録媒体通過管理テーブル１３１は、搬送される記録媒体Ｐに付される用紙番号を示す用紙番号フィールド１３１ａ、当該用紙番号対応する記録媒体Ｐが特殊シートか否かを示す挿入紙フィールド１３１ｂ、当該用紙番号に対応する記録媒体Ｐの通過状況を示す通過状況フィールド１３１ｃ、からなる複数のレコードから構成されている。
【００４６】
用紙番号フィールド１３１ａに示される用紙番号は、ジョブが実行されることによって制御部１１０から出力される給紙信号が発生する度に生成される番号であり、ジョブが実行されることによって生成される記録媒体の束を構成する記録媒体Ｐに付される識別番号である。
【００４７】
挿入紙フィールド１３１ｂに示される丸印「○」は、用紙番号フィールド１３１ａに示される用紙番号に対応する記録媒体Ｐは特殊シートである旨を示すものである。
【００４８】
通過状況フィールド１３１ｃは、画像形成装置Ａ内に設けられた各種センサ、本実施の形態においては、給紙センサＳＥ１、レジストセンサＳＥ２、本体排紙センサＳＥ３、後処理排紙センサＳＥ４の検知結果に応じて、用紙番号フィールド１３１ａに示された用紙番号に対応する記録媒体Ｐの通過の有無を示すものであり、「済み」は、記録媒体Ｐが通過した旨を示し、「未」は記録媒体Ｐが通過していない旨を示す。
【００４９】
なお、記録媒体通過管理テーブル１３１において、通過状況フィールド１３１ｃにおいて、全てのセンサが「済み」となったレコードは消去される。図３示す記録媒体通過管理テーブル１３１においては、破線で囲まれたレコードが消去されたレコードである。
【００５０】
通過枚数管理テーブルは、各ジョブが実行される際に生成されるテーブルであり、当該ジョブを実行されることによって各センサを通過した記録媒体Ｐの枚数を計数するテーブルである。
【００５１】
図４（ａ）に、通過枚数管理テーブル１３２の一例を示す。
図４（ａ）に示す通過枚数管理テーブル１３２は、図３に示す記録媒体通過管理テーブル１３１に対応する通過枚数管理テーブル１３２であり、あるジョブの実行途中の通過枚数管理テーブル１３２の例である。
【００５２】
図４（ａ）に示す通過枚数管理テーブル１３２は、給紙センサＳＥ１により検知された記録媒体Ｐの枚数（給紙枚数Ａ１）、レジストセンサＳＥ２により検知された記録媒体Ｐ枚数（レジスト通過枚数Ａ２）、本体排紙センサＳＥ３により検知された記録媒体Ｐの枚数（本体排紙枚数Ａ３）、後処理排紙センサＳＥ４により検知された記録媒体Ｐの枚数（後処理排紙枚数Ａ４）を示している。
【００５３】
記録媒体通過管理テーブル１３１の用紙番号フィールド１３１ａが示す最大の番号は、通過枚数管理テーブル１３２の給紙枚数Ａ１に対応している。これは、制御部１１０から給紙指示が出力される度に用紙番号フィールド１３１ａの用紙番号が生成されると共に、当該給紙指示に従って給紙トレイ２１ａ、２１ｂ、２１ｃから搬送された記録媒体Ｐが給紙センサＳＥ１を通過し、給紙枚数Ａ１が１加算されるためである。
【００５４】
読込処理部１４０は、画像読取部１０のＣＣＤイメージセンサ１２ａから入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００５５】
圧縮ＩＣ１５０は、入力されたデジタル画像データに圧縮処理を施してＤＲＡＭ制御ＩＣ１６０に出力する。
【００５６】
ＤＲＡＭ制御ＩＣ１６０は、制御部１１０からの指示に従って、圧縮ＩＣ１５０によるデジタル画像データの圧縮処理及び伸長ＩＣ１８０による圧縮画像データの伸長処理を制御するとともに、画像メモリ１７０への画像データの入出力制御を行う。
【００５７】
例えば、画像読取部１０により読み取られたアナログ画像信号の保存が指示されると、読込処理部１４０から入力されたデジタル画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された非圧縮画像データのプリント出力が指示されると、ページメモリ１７２から非圧縮画像データを読み出して書込処理部１９０に出力する。
【００５８】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力前にプリント出力対象の非圧縮画像データを一時的に格納するためのメモリである。
【００５９】
伸長ＩＣ１８０は、入力される圧縮画像データに伸長処理を施す。
【００６０】
書込処理部１９０は、ＤＲＡＭ制御ＩＣ１６０から入力された非圧縮画像データに基づいて、画像形成のためのプリントデータを生成し、プリント部２０に出力する。
【００６１】
画像読取部１０は、ＣＣＤイメージセンサ１２ａ、画像読取制御部２００、その他ここでは図示しないが図１に示した自動原稿送り部１１、読取部１２から構成される。画像読取制御部２００は、自動原稿送り部１１、読取部１２等を制御して、コンタクトガラスに載置された原稿ｄ面の露光走査を実行させ、光の反射光をＣＣＤイメージセンサ１２ａにより光電変換を行い画像を読み取る。読み取られたアナログ画像信号は画像制御部１００の読込処理部１４０に出力される。
【００６２】
プリント部２０は、図１に示した画像形成部２３等のプリント出力に係る各部やプリント制御部３００を備えて構成される。プリント制御部３００は、制御部１１０からの指示に従ってプリント部２０内の各部の動作を制御し、書込処理部１９０から入力された画像データに基づいて記録媒体Ｐに画像形成を行わせると共に、制御部１１０からの指示に従って後処理部２の各部を動作させる指示信号を後処理制御部４００に出力する。
【００６３】
操作表示部９０は、ＬＣＤ（Liquid Crystal Display）９１、操作表示制御部９００、その他図示しない操作キー群から構成される。ＬＣＤ９１上には、ＬＣＤ９１を覆うようにタッチパネルが設けられており、操作表示制御部９００は、制御部１１０から入力される表示信号に従って、プリント条件を入力するための基本画面や、各種処理結果等をＬＣＤ９１に表示させる。また、操作表示制御部９００は、操作キー群又はタッチパネルから入力される操作信号を制御部１１０に出力する。
【００６４】
更に、操作表示部９０は、ジャムが発生した場合、当該ジャムの復帰作業内容を受け付ける復帰内容受付画面を表示し、当該ジャムの復帰作業内容を受け付ける操作表示部としての機能を実現する。
【００６５】
図５に、本実施の形態における復帰内容受付画面の例を示す。
図５に示すように、復帰内容受付画面Ｇは、ジャムが発生した場合において実行中であったジョブが特殊シートを用いたジョブであるメッセージと、ユーザが行ったジョブの復帰作業内容の指示を促すメッセージと、ユーザが行った復帰作業内容及び所望する復帰後のジョブの再開動作を受け付けるメッセージが表示され、また、当該メッセージを許容する場合に押下されるＹＥＳボタンＢ１、当該メッセージを許容しない場合に押下されるＮＯボタンＢ２が表示される。
【００６６】
表示されるメッセージの例としては、図５に示す復帰内容受付画面Ｇにおいて「特殊シートが含まれるジョブです。リカバリー方法を選択してください。」、「エラーが発生した特殊シートをトレイに戻し、戻した特殊シートには再プリントしない。」というメッセージである。
【００６７】
このように、復帰内容受付画面Ｇによって、給紙済みであって後処理部２から排出されておらず画像形成処理中でない特殊シートを給紙トレイ２１ａ、２１ｂ、２１ｃに再格納したか否かのユーザが行った復帰作業内容を受け付けることができる、即ち、損傷していない再利用可能な特殊シートを給紙トレイ２１ａ、２１ｂ、２１ｃに再格納したか否かの復帰作業内容を受け付けることができる。
【００６８】
次に、プリンタコントローラ１ｂの各部について説明する。
プリンタコントローラ１ｂは、コントローラ制御部１１ｂ、ＤＲＡＭ制御ＩＣ１２ｂ、画像メモリ１３ｂ、ＬＡＮＩＦ１４ｂから構成される。
【００６９】
コントローラ制御部１１ｂは、各部の動作を統括的に制御し、ＬＡＮＩＦ１４ｂを介して、外部装置ＰＣから入力されるデータをジョブとして本体制御部１ａへ配信する機能を実現する。
【００７０】
ＤＲＡＭ制御ＩＣ１２ｂは、ＬＡＮＩＦ１４ｂにより受信されたデータの画像メモリ１３ｂへの格納や、画像メモリ１３ｂからのデータの読み出しを制御する。また、ＤＲＡＭ制御ＩＣ１２ｂは、画像制御部１００のＤＲＡＭ制御ＩＣ１６０とＰＣＩ（Peripheral Components Interconnect）バスで接続されており、コントローラ制御部１１ｂからの指示に従って、プリント対象のデータを画像メモリ１３ｂから読み出してＤＲＡＭ制御ＩＣ１６０に出力する。
【００７１】
画像メモリ１３ｂは、ＤＲＡＭから構成され、入力されたデータを一時的に格納する。
【００７２】
ＬＡＮＩＦ１４ｂは、ＮＩＣ（Network Interface Card）やモデム等のネットワークＮに接続するための通信インターフェイスであり、外部装置ＰＣからネットワークＮを介して、印刷対象のデータを受信する。受信されたデータは、ＤＲＡＭ制御ＩＣ１２ｂに出力される。
【００７３】
後処理部２は、パンチユニット、ステイプルユニット、折りユニット、断裁ユニット、カッティングユニット等、各種後処理ユニットへ記録媒体Ｐを搬送する搬送ローラ等の搬送手段等が設けられており、各部は後処理制御部４００により統括的に制御されている。
【００７４】
後処理制御部４００は、制御部１１０からプリント制御部３００を介して入力される後処理の指示信号に応じて、記録媒体Ｐを搬送経路に沿って所定の後処理ユニットに搬送し、各部を駆動制御して記録媒体Ｐに所定の後処理を行わせ、所定のトレイに排出する制御を行う。
【００７５】
次に、本実施の形態の動作を説明する。
図６、７に、本実施の形態におけるジャム復帰処理のフローチャートを示す。
図６、７に示すジャム復帰処理は、制御部１１０において、不揮発メモリ１２０内に記憶されているジャム復帰処理プログラム、ＲＡＭ１３０内に生成される記録媒体通過管理テーブル１３１及び通過枚数管理テーブル１３２、操作表示部９０により受け付けられた各種データ等に基づいて実行される。
【００７６】
まず、図６を参照しながら、ジャムが発生した際の処理を説明する。
制御部１１０は、ジャムが発生したか否かを判別し（ステップＳ１）、ジャムが発生していないと判別した場合（ステップＳ１；Ｎｏ）、ステップＳ１に戻る。
【００７７】
制御部１１０は、ジャムが発生したと判別した場合（ステップＳ１；Ｙｅｓ）、ジャムが発生した旨、ジャムが発生した箇所、ジャムの復帰作業等をユーザに報知するジャム発生画面（不図示）を操作表示部９０のＬＣＤ９１上に表示さる（ステップＳ２）。
【００７８】
制御部１１０は、ジャムの復帰作業が完了したか否かを判別し（ステップＳ３）、ジャムの復帰作業が完了していないと判別した場合（ステップＳ３；Ｎｏ）、ステップＳ３に戻る。
【００７９】
ステップＳ３におけるジャムの復帰作業が完了したか否かの判別は、画像形成装置Ａ内の各所に設けられた各種センサからの信号に基づいて判別しており、例えば、記録媒体Ｐの搬送経路上に設けられた各種センサから搬送経路上に記録媒体Ｐを検知する信号の有無や、画像形成装置Ａ内の各機構や各部、各ユニットを格納している扉の開閉状態等に基づいて判別することができる。
【００８０】
制御部１１０は、ジャムの復帰作業が完了したと判別した場合（ステップＳ３；Ｙｅｓ）、ジャムが発生したジョブは、挿入プリントジョブであるか否かを、当該ジョブのジョブデータに基づいて判別する（ステップＳ４）。
【００８１】
制御部１１０は、挿入プリントジョブでないと判別した場合（ステップＳ４；Ｎｏ）、本処理を終了させる。
【００８２】
制御部１１０は、挿入プリントジョブであると判別した場合（ステップＳ４；Ｙｅｓ）、記録媒体通過管理テーブル１３１や画像形成装置Ａ内に設けられた各種センサからの検出値等に基づいて、ジャムが発生した箇所の記録媒体Ｐは特殊シートか否かを判別する（ステップＳ５）。
【００８３】
ステップＳ５により、ジャムは特殊シートにより発生しているか否かが判別される。
【００８４】
制御部１１０は、ジャムが発生した箇所の記録媒体Ｐは特殊シートであると判別した場合（ステップＳ５；Ｙｅｓ）、本処理を終了させる。即ち、ジャムが発生した箇所の記録媒体Ｐが特殊シートであると判別された場合には、ユーザによって当該特殊シートが損傷し破棄されると共に、当該特殊シートを含む特殊シート群の１セットが破棄又は取り除かれるものであるから、ステップＳ５；Ｙｅｓの場合において後段の処理は不要と考え、本処理を終了させる。
【００８５】
制御部１１０は、ジャムが発生した箇所の記録媒体Ｐは特殊シートでないと判別した場合（ステップＳ５；Ｎｏ）、ジャム発生時において、記録媒体通過管理テーブル１３１等に基づいて、レジストセンサＳＥ２から本体排紙センサＳＥ３の間の搬送経路上に、特殊シートが存在していたか否かを判別、即ち、画像形成処理中の特殊シートの有無を判別する（ステップＳ６）。
【００８６】
制御部１１０は、ジャム発生時において、レジストセンサＳＥ２から本体排紙センサＳＥ３の間の搬送経路上に特殊シートが存在していたと判別した場合、即ち、画像形成処理中の特殊シートがある場合（ステップＳ６；Ｙｅｓ）、本処理を終了させる。画像形成処理中の特殊シートがある場合には、当該画像形成処理中の特殊シートにはトナー像が不完全な状態で転写されていたり、トナー像が未定着であったりすることが考えられ、ユーザによって再利用不可能な特殊シートであるとみなされて破棄されると共に、当該特殊シートを含む特殊シート群の１セットが破棄又は取り除かれるものであるから、ステップＳ６；Ｙｅｓの場合において後段の処理は不要と考え、本処理を終了させる。
【００８７】
制御部１１０は、ジャム発生時において、レジストセンサＳＥ２から本体排紙センサＳＥ３の間の搬送経路上に特殊シートが存在していないと判別した場合、即ち、画像形成処理中の特殊シートがない場合（ステップＳ６；Ｎｏ）、復帰内容受付画面を操作表示部９０のＬＣＤ９１上に表示させる（ステップＳ７）。
【００８８】
制御部１１０は、表示された復帰内容受付画面上のＹＥＳボタンＢ１が押下され選択されたか否かを判別し（ステップＳ８）、ＹＥＳボタンＢ１が選択されない、即ち、ＮＯボタンが押下され選択されたと判別した場合（ステップＳ８；Ｎｏ）、本処理を終了させる。
【００８９】
制御部１１０は、ＹＥＳボタンＢ１が選択されたと判別した場合（ステップＳ８；Ｙｅｓ）、ジャムが発生したジョブにスキップフラグをＯＮ状態に設定して付す（ステップＳ９）。
【００９０】
スキップフラグがＯＮの状態とは、ユーザが行ったジャムの復帰作業内容として、ジャムが発生した際に、給紙トレイ２１ａ、２１ｂ、２１ｃから給紙済みであって後処理部２から排出されておらず、画像形成処理中でない特殊シートを給紙トレイ２１ａ、２１ｂ、２１ｃに再格納した内容が受け付けられた場合を示している。
【００９１】
制御部１１０は、スキップフラグを設定した後、通過枚数管理テーブル１３２給紙枚数Ａ１、レジスト通過枚数Ａ２、本体排紙枚数Ａ３、後処理排紙枚数Ａ４の値を、ジャム発生時の後処理排紙枚数Ａ４が示す値に設定する通過枚数管理テーブル１３２の再設定を行い（ステップＳ１０）、本処理を終了させる。
【００９２】
なお、記録媒体通過管理テーブル１３１は、ジャム発生時のデータは保持され、後述する図７に示す処理が実行される際に、各センサを記録媒体Ｐが通過した際に、各通過状況が上書きされる。
【００９３】
図４（ｂ）に、図４（ａ）に示されている通過枚数管理テーブル１３２をジョブ発生時の通過枚数管理テーブル１３２とした場合において、ステップＳ１０で再設定が行われた通過枚数管理テーブル１３２の一例を示す。
【００９４】
図４（ｂ）に示すように、ステップＳ１０において再設定が行われた通過枚数管理テーブル１３２の各フィールドの値は、ジョブ発生時の通過枚数管理テーブル１３２の後処理排紙枚数Ａ４の値に設定される。
【００９５】
次に、図７を参照しながら、図６に示した処理が実行された後、即ち、ユーザによるジャムの復帰作業が完了した後、ジャムが発生したことによって中断されていたジョブが再開される際の処理について説明する。
【００９６】
制御部１１０は、図６に示すステップＳ１０後、操作表示部９０によりジョブの再開指示がされた場合、記録媒体Ｐの給紙指示を行い（ステップＳ１１）、給紙枚数Ａ１に１を加算する（ステップＳ１２）。
【００９７】
制御部１１０は、再開したジョブのスキップフラグはＯＮ状態であるか否かを判別し（ステップＳ１３）、スキップフラグがＯＮ状態でないと判別した場合（ステップＳ１３；Ｎｏ）、ステップＳ１８に進む。
【００９８】
制御部１１０は、スキップフラグがＯＮ状態であると判別した場合（ステップＳ１３；Ｙｅｓ）、給紙された記録媒体Ｐは特殊シートか否かを判別する（ステップＳ１４）し、特殊シートでないと判別した場合（ステップＳ１４；Ｎｏ）、ステップＳ１８に進む。
【００９９】
制御部１１０は、給紙された記録媒体Ｐは特殊シートであると判別した場合（ステップＳ１４；Ｙｅｓ）、当該給紙された記録媒体Ｐはジャムが発生する前に給紙された記録媒体Ｐか否かを判別し（ステップＳ１５）、ジャムが発生する前に給紙された記録媒体Ｐでないと判別した場合（ステップＳ１５；Ｎｏ）、ステップＳ１８に進む。
【０１００】
ステップＳ１５の判別としては、通過枚数管理テーブル１３２の給紙枚数Ａ１に対応する記録媒体通過管理テーブル１３１の用紙番号のレコードを参照し、当該レコードの給紙センサＳＥ１の通過状況は「済み」であるか否かを判別することにより、ジャムが発生する前に給紙された記録媒体Ｐか否かを判別することができ、第１判別部の機能を実現する。なお、当該給紙センサＳＥ１の通過状況が「済み」である場合には、当該ジョブの実行において給紙枚数Ａ１に対応する用紙番号の記録媒体Ｐは、ジョブが再開される前に、一旦、給紙センサＳＥ１を通過していることから、ジャムを復帰させる際にユーザが当該記録媒体Ｐを給紙トレイ２１ａ、２１ｂ、２１ｃに戻したと判別できる。
【０１０１】
制御部１１０は、ジャムが発生する前に給紙された記録媒体Ｐであると判別した場合（ステップＳ１５；Ｙｅｓ）、ジャムが発生する前に本体排紙センサＳＥ３を通過済みの記録媒体Ｐか否かを判別し（ステップＳ１６）、ジャムが発生する前に本体排紙センサＳＥ３を通過済みの記録媒体Ｐでないと判別した場合（ステップＳ１６；Ｎｏ）、ステップＳ１８に進む。
【０１０２】
ステップＳ１６の判別としては、通過枚数管理テーブル１３２の給紙枚数Ａ１に対応する記録媒体通過管理テーブル１３１の用紙番号のレコードを参照し、当該レコードの本体排紙センサＳＥ３の通過状況は「済み」であるか否かを判別することにより、ジャムが発生する前に本体排紙センサＳＥ３を通過済みの記録媒体Ｐか否かを判別することができ、第２判別部の機能を実現する。なお、当該本体排紙センサＳＥ３の通過状況が「済み」である場合には、当該ジョブの実行において給紙枚数Ａ１に対応する用紙番号の記録媒体Ｐは、ジョブが再開される前に、一旦、本体排紙センサＳＥ３を通過していることから、ジャムを復帰させる際にユーザが当該記録媒体Ｐを給紙トレイ２１ａ、２１ｂ、２１ｃに戻したと判別できる。
【０１０３】
このように、ステップＳ１４〜ステップＳ１６の判別が全てＹｅｓである場合には、給紙された記録媒体Ｐはジャムが発生する前に給紙され、且つ、本体排紙センサＳＥ３を通過した特殊シートであると判別されることにより、画像形成処理済みの特殊シートをジャムを復帰させる際にユーザが当該特殊シートを給紙トレイ２１ａ、２１ｂ、２１ｃに戻したものと判別できる。
【０１０４】
制御部１１０は、ジャムが発生する前に本体排紙センサＳＥ３を通過済みの記録媒体Ｐであると判別した場合（ステップＳ１６；Ｙｅｓ）、給紙された記録媒体Ｐには画像形成処理の実行を許可せず（ステップＳ１７）、ステップＳ１９に進む。
【０１０５】
制御部１１０は、ステップＳ１３；Ｎｏ、ステップＳ１４；Ｎｏ、ステップＳ１５；Ｎｏ、ステップＳ１６；Ｎｏのいずれかの後、給紙された記録媒体Ｐに対する画像形成処理の実行を許可し（ステップＳ１８）、ステップＳ１９に進む。
【０１０６】
制御部１１０は、ステップＳ１７又はステップＳ１８後、ジョブは終了したか否かを判別し（ステップＳ１９）、ジョブが終了していないと判別した場合（ステップＳ１９；Ｎｏ）、ステップＳ１１に戻り、ジョブが終了したと判別した場合（ステップＳ１９；Ｙｅｓ）、本処理を終了させる。
【０１０７】
このように、本実施の形態によれば、給紙済みであって後処理部から排出されておらず画像形成処理中でない特殊シートを給紙トレイ２１ａ、２１ｂ、２１ｃに再格納した、即ち、損傷していない再利用可能な特殊シートを給紙トレイ２１ａ、２１ｂ、２１ｃに再格納したという復帰作業内容を受け付けた場合に、ジャムからの復帰後に画像形成される特殊シートは、ジャムが発生する前に給紙された特殊シートであり、かつ、ジャムが発生する前に画像形成処理が終了した特殊シートである場合、当該特殊シートに対して画像形成処理の実行を許可しないことができるため、給紙トレイ２１ａ、２１ｂ、２１ｃに再格納された画像形成処理済みの特殊シートに再度画像形成処理を施すことなく再利用することができ、再度、画像形成処理を施すことによって生じるにじみ等の画質の低下を解消でき、また、特殊シートの無駄な廃棄を解消できる。
【０１０８】
従って、ユーザから受け付けられたジャムの復帰作業内容に応じて、特殊シートに対する画像形成処理の可否を制御することができるため、復帰作業内容に応じて、画像形成処理済みの特殊シートに対して再度画像形成処理を施して画質の低下を生じさるという問題を解消でき、また、無駄に再利用可能な特殊シートを破棄させることを解消することができる。
【０１０９】
また、本発明は、上記実施の形態の内容に限定されるものではなく、本発明の主旨を逸脱しない範囲で適宜変更可能である。
【図面の簡単な説明】
【０１１０】
【図１】本実施の形態における画像形成装置Ａの概略断面構成図である。
【図２】本実施の形態における画像形成装置Ａの制御ブロック図である。
【図３】本実施の形態における記録媒体通過管理テーブル１３１の例である。
【図４】図４（ａ）は通過枚数管理テーブル１３２の一例であり、図４（ｂ）はステップＳ１０で再設定が行われた通過枚数管理テーブル１３２の一例である。
【図５】本実施の形態における復帰内容受付画面の例である。
【図６】ジャムが発生した際のジャム復帰処理のフローチャートである。
【図７】ユーザによるジャムの復帰作業が完了した後のジャム復帰処理のフローチャートである。
【符号の説明】
【０１１１】
１  本体部
１ａ  本体制御部
１ｂ  プリンタコントローラ
１１ｂ  コントローラ制御部
１２ｂ  ＤＲＡＭ制御ＩＣ
１３ｂ  画像メモリ
１４ｂ  ＬＡＮＩＦ
２  後処理部
１０  画像読取部
１１  自動原稿送り部
１２  読取部
１２ａ  ＣＣＤイメージセンサ
２０  プリント部
２１  給紙部
２１ａ、２１ｂ、２１ｃ  給紙トレイ
２１ｄ  給紙手段
２２  給紙搬送部
２２ａ  レジストローラ
２３  画像形成部
２３ａ  転写装置
２３ｂ  定着部
２４  搬出部
２４ａ  搬出口
９０  操作表示部
９１  ＬＣＤ
１００  画像制御部
１１０  制御部
１２０  不揮発メモリ
１３０  ＲＡＭ
１３１  記録媒体通過管理テーブル
１３１ａ  用紙番号フィールド
１３１ｂ  挿入紙フィールド
１３１ｃ  通過状況フィールド
１３２  通過枚数管理テーブル
１４０  読込処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  プリント制御部
４００  後処理制御部
９００  操作表示制御部
Ａ  画像形成装置
Ａ１  給紙枚数
Ａ２  レジスト通過枚数
Ａ３  本体排紙枚数
Ａ４  後処理排紙枚数
ｄ  原稿
Ｎ  ネットワーク
Ｐ  記録媒体
ＰＣ  外部装置
ＳＥ１  給紙センサ
ＳＥ２  レジストセンサ
ＳＥ３  本体排紙センサ
ＳＥ４  後処理排紙センサ
Ｔ１  原稿トレイ
Ｔ２  手差しトレイ
Ｔ３  排紙トレイ
【図１】
2008165042.tif 000003
【図２】
2008165042.tif 000004
【図３】
2008165042.tif 000005
【図４】
2008165042.tif 000006
【図５】
2008165042.tif 000007
【図６】
2008165042.tif 000008
【図７】
2008165042.tif 000009